【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
無線アクセステクノロジー（ＲＡＴ）を用いて第１のセルに通信を提供する第１のアクセスポイントであって、前記第１のセルは、該第１のセルの無線アクセステクノロジーと同じ無線アクセステクノロジーを使用する第２のセルのカバレッジエリアの少なくとも一部と、前記第１及び第２のセルの無線アクセステクノロジーとは異なる無線アクセステクノロジーを使用する第３のセルのカバレッジエリアの少なくとも一部と、に重なるカバレッジエリアを有し、当該第１のアクセスポイントは、
第１のトラッキングエリアコード（ＴＡＣ）であって、前記第２のセルに割り当てられる第２のＴＡＣとは異なり、かつ前記第３のセルに割り当てられる第３のエリアコードとは異なる、第１のトラッキングエリアコードと、
前記第３のセルに関する情報を記憶するメモリと、
を含み、
前記第１のアクセスポイントは、前記第１のセルのカバレッジエリア内にあり前記第２のセルにキャンプオンするワイヤレス通信ユニットから接続の要求を受信し、接続の前記要求を受信することに応答して、接続を確立し、前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ  Ｃｏｎｎｅｃｔｉｏｎ  Ｒｅｌｅａｓｅメッセージを前記ワイヤレス通信ユニットに送信することによって、前記ワイヤレス通信ユニットを前記第３のセルにリダイレクトするように配置される、
第１のアクセスポイント。
【請求項２】
請求項１に記載の前記第１のアクセスポイントにより提供されるカバレッジエリアの少なくとも一部に重なる、前記第３のセルに通信サービスを提供する第２のアクセスポイントであって、当該第２のアクセスポイントは、前記第１のアクセスポイントによって前記第３のセルにリダイレクトされている前記ワイヤレス通信ユニットから接続の要求を受信するように配置され、さらに、前記ワイヤレス通信ユニットからの該ワイヤレス通信ユニットに関する識別子を要求し、前記ワイヤレス通信ユニットから前記識別子を受信し、前記識別子を含むプレゼンス通知メッセージを生成し、前記プレゼンス通知メッセージをリモートのエンティティに送るように配置される、第２のアクセスポイント。
【請求項３】
前記ワイヤレス通信ユニットからの接続の前記要求を受け入れ、コアネットワークを介して前記ワイヤレス通信ユニットに通信サービスを提供するようにさらに配置される、請求項２に記載の第２のアクセスポイント。
【請求項４】
前記識別子を受信した後、前記ワイヤレス通信ユニットからの接続の前記要求を拒否するようにさらに配置される、請求項２に記載の第２のアクセスポイント。
【請求項５】
前記識別子を受信した後、前記ワイヤレス通信ユニットを近隣のセルにリダイレクトするようにさらに配置される、請求項４に記載の第２のアクセスポイント。
【請求項６】
前記第１及び第２のセルにより使用される無線アクセステクノロジーはＬｏｎｇ  Ｔｅｒｍ  Ｅｖｏｌｕｔｉｏｎ無線アクセステクノロジーであり、前記第３のセルにより使用される無線アクセステクノロジーは３Ｇ無線アクセステクノロジー又は２Ｇ無線アクセステクノロジーである、請求項１に記載の第１のアクセスポイント。
【請求項７】
当該第１のアクセスポイントは、前記メモリにおける記憶のために前記第３のセルによりブロードキャストされる前記第３のセルに関する情報を受信するネットワークリッスンデバイスを含む、請求項１又は請求項６に記載の第１のアクセスポイント。
【請求項８】
前記識別子はＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である、請求項２乃至５のうちいずれか１項に記載の第２のアクセスポイント。
【請求項９】
無線アクセステクノロジー（ＲＡＴ）を用いて第１のセルに通信を提供する第１のアクセスポイントであって、前記第１のセルは、該第１のセルの無線アクセステクノロジーと同じ無線アクセステクノロジーを使用する第２のセルのカバレッジエリアの少なくとも一部と、前記第１及び第２のセルの無線アクセステクノロジーとは異なる無線アクセステクノロジーを使用する第３のセルのカバレッジエリアの少なくとも一部と、に重なるカバレッジエリアを有し、前記第１のアクセスポイントは、
第１のトラッキングエリアコード（ＴＡＣ）であって、前記第２のセルに割り当てられる第２のＴＡＣとは異なり、かつ前記第３のセルに割り当てられる第３のエリアコードとは異なる、第１のトラッキングエリアコードと、
前記第３のセルに関する情報を記憶するメモリと、
前記第１のセルのカバレッジエリア内にあり前記第２のセルにキャンプオンするワイヤレス通信ユニットから接続の要求を受信し、接続の前記要求を受信することに応答して、接続を確立し、前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ  Ｃｏｎｎｅｃｔｉｏｎ  Ｒｅｌｅａｓｅメッセージを前記ワイヤレス通信ユニットに送信することによって、前記ワイヤレス通信ユニットを前記第３のセルにリダイレクトするように配置された信号プロセッサと、
を含む第１のアクセスポイントと、
前記第３のセルに通信サービスを提供する第２のアクセスポイントであって、
前記第１のアクセスポイントによって前記第３のセルにリダイレクトされている前記ワイヤレス通信ユニットから接続の要求を受信するように構成された受信器と、
前記ワイヤレス通信ユニットからの該ワイヤレス通信ユニットに関する識別子を要求するように構成された送信器であって、前記受信器は、前記ワイヤレス通信ユニットから前記識別子を受信してプレゼンスサービスを達成するように構成される、送信器と、
を含む第２のアクセスポイントと、
を含む通信システム。
【請求項１０】
セルラー通信システムを動作させる方法であって、無線アクセステクノロジー（ＲＡＴ）を用いて第１のセルに通信を提供する第１のアクセスポイントであり、前記第１のセルは、該第１のセルの無線アクセステクノロジーと同じ無線アクセステクノロジーを使用する第２のセルのカバレッジエリアの少なくとも一部と、前記第１及び第２のセルの無線アクセステクノロジーとは異なる無線アクセステクノロジーを使用する第３のセルのカバレッジエリアの少なくとも一部と、に重なるカバレッジエリアを有する、第１のアクセスポイントにおいて、
第１のトラッキングエリアコード（ＴＡＣ）であり、前記第２のセルに割り当てられる第２のＴＡＣとは異なり、かつ前記第３のセルに割り当てられる第３のエリアコードとは異なる、第１のトラッキングエリアコード、を前記第１のアクセスポイントに割り当てるステップと、
前記第３のセルに関する情報をメモリに記憶するステップと、
前記第１のセルのカバレッジエリア内にあり前記第２のセルにキャンプオンするワイヤレス通信ユニットから接続の要求を受信するステップと、
接続の前記要求を受信することに応答して、前記第３のセルに関する前記の記憶された情報を含むＲａｄｉｏ  Ｒｅｓｏｕｒｃｅ  Ｃｏｎｔｒｏｌリダイレクション情報要素を含むＲａｄｉｏ  Ｒｅｓｏｕｒｃｅ  Ｃｏｎｔｒｏｌ  Ｃｏｎｎｅｃｔｉｏｎ  Ｒｅｌｅａｓｅメッセージを前記ワイヤレス通信ユニットに送信することによって、前記ワイヤレス通信ユニットを前記第３のセルにリダイレクトするステップと、
を含む方法。
【請求項１１】
第２のアクセスポイントが、前記第３のセルに通信サービスを提供するように配置され、当該方法は、前記第２のアクセスポイントにおいて、
前記第１のアクセスポイントによって前記第３のセルにリダイレクトされている前記ワイヤレス通信ユニットから接続の要求を受信するステップと、
前記ワイヤレス通信ユニットからの該ワイヤレス通信ユニットに関する識別子を要求するステップと、
前記ワイヤレス通信ユニットから前記識別子を受信して前記ワイヤレス通信ユニットのためのプレゼンスサービスを可能にするステップと、
をさらに含む請求項１０に記載の方法。
【請求項１２】
前記第２のアクセスポイントにおいて、前記ワイヤレス通信ユニットからの接続の前記要求を受け入れ、コアネットワークを介して前記ワイヤレス通信ユニットに通信サービスを提供するステップ、をさらに含む請求項１１に記載の方法。
【請求項１３】
前記第２のアクセスポイントにおいて、前記識別子を受信した後、前記ワイヤレス通信ユニットからの接続の前記要求を拒否するステップ、をさらに含む請求項１１に記載の方法。
【請求項１４】
前記第２のアクセスポイントにおいて、前記識別子を受信した後、前記ワイヤレス通信ユニットを近隣のセルにリダイレクトするステップ、をさらに含む請求項１３に記載の方法。